(57)【要約】【課題】食器かごが収納された洗浄槽２と、洗浄槽２の中央部で上方にのびるセンターノズル３２を有する洗浄ノズル３とを備える食器洗浄機であって、食器かごとして、下かご５と、センターノズル３２に隣接した部分に配置される上かご６とが設けられ、更に、センターノズル３２を囲うノズルガード枠７が設けられるものにおいて、上かご６をノズルガード枠７で支持できると共に、上かご６の下に位置する下かご５の部分への食器のセット作業性も損なわれないようにする。【解決手段】ノズルガード枠７を、下かご５に固定の下部ガード枠７１と、上かご６に固定の上部ガード枠７２との上下２部分で構成し、上部ガード枠７２の下端に、下部ガード枠７１の上端に当接する当接部７３を設ける。【選択図】図１
2019098052.tif 000002
【特許請求の範囲】
【請求項１】
食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、
洗浄ノズルは、洗浄槽の中央部で上方にのびるセンターノズルを有し、
食器かごとして、洗浄槽の下部に配置される下かごと、洗浄槽の上部であって、センターノズルに対し所定方向に隣接した部分に配置される上かごとが設けられ、更に、センターノズルを囲うノズルガード枠が設けられるものにおいて、
ノズルガード枠は、下部ガード枠と上部ガード枠との上下２部分に分割されて、下部ガード枠が下かごに固定されると共に、上部ガード枠が上かごに固定され、上部ガード枠の下端に、下部ガード枠の上端に当接する当接部が設けられることを特徴とする食器洗浄機。
【請求項２】
前記上部ガード枠は、前記上かごの前記センターノズル側の端縁中央部からセンターノズル側に突出する、センターノズルが挿通されるリング部と、リング部から下方にのびる柱部とを有し、柱部の下端に前記当接部が設けられ、柱部は、上かごのセンターノズル側の端縁の長手方向両端とセンターノズルとを結ぶ上かご側の扇形範囲以外の部分に設けられることを特徴とする請求項１記載の食器洗浄機。
【請求項３】
前記扇形範囲以外の部分に、前記柱部が周方向の間隔を存して複数設けられ、これら複数の柱部の下端同士を連結するように前記当接部が設けられることを特徴とする請求項２記載の食器洗浄機。
【請求項４】
前記上かごに荷重がかからない状態では、前記当接部が前記下部ガード枠の上端から浮いた状態に存し、上かごに所定値以上の荷重がかかったときに、当接部が下部ガード枠の上端に当接することを特徴とする請求項１〜３の何れか１項記載の食器洗浄機。
【発明の詳細な説明】
【技術分野】
【０００１】
本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機に関する。
【背景技術】
【０００２】
従来、この種の食器洗浄機において、洗浄ノズルは、洗浄槽の中央部で上方にのびるセンターノズルを有している。また、食器かごとして、洗浄槽の下部に配置される下かごと、洗浄槽の上部であって、センターノズルに対し所定方向に隣接した部分に配置される上かごとが設けられている。上かごは、一般的に、コップや湯呑みに代表される有底筒状の食器を、開口端を下にしてセンターノズルから離れる方向に傾斜した姿勢で支持可能であって、センターノズルから噴射される洗浄水が上かごに支持される食器内に入るようにしている。
【０００３】
また、下かごには、これに載置する食器がセンターノズルに干渉することを防止できるように、センターノズルを囲うノズルガード枠が固定されている。更に、ノズルガード枠を上方に延長して、上かごのセンターノズル側の端縁中央部をノズルガード枠の上端に当接させ、上かごをノズルガード枠で支持して、上かごの撓みを防止できるようにしたものも知られている（例えば、特許文献１参照）。
【０００４】
然し、ノズルガード枠を上記の如く上方に延長したのでは、上かごを跳ね上げた状態で上かごの下に位置する下かごの部分に食器をセットする際に、ノズルガード枠が邪魔になってしまう。
【先行技術文献】
【特許文献】
【０００５】
【特許文献１】特開２００８−７３４００号公報
【発明の概要】
【発明が解決しようとする課題】
【０００６】
本発明は、以上の点に鑑み、上かごをノズルガード枠で支持できると共に、上かごの下に位置する下かごの部分への食器のセット作業性も損なわないようにした食器洗浄機を提供することをその課題としている。
【課題を解決するための手段】
【０００７】
上記課題を解決するために、本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、洗浄ノズルは、洗浄槽の中央部で上方にのびるセンターノズルを有し、食器かごとして、洗浄槽の下部に配置される下かごと、洗浄槽の上部であって、センターノズルに対し所定方向に隣接した部分に配置される上かごとが設けられ、更に、センターノズルを囲うノズルガード枠が設けられるものにおいて、ノズルガード枠は、下部ガード枠と上部ガード枠との上下２部分に分割されて、下部ガード枠が下かごに固定されると共に、上部ガード枠が上かごに固定され、上部ガード枠の下端に、下部ガード枠の上端に当接する当接部が設けられることを特徴とする。
【０００８】
本発明によれば、上かごに固定した上部ガード枠の下端の当接部が下部ガード枠の上端に当接するため、上かごを上部ガード枠を介して下部ガード枠により支持することができる。更に、本発明によれば、上かごを上方に跳ね上げると、下かご上に残るノズルガード枠の部分は、下部ガード枠のみになって高さが低くなる。そのため、上かごの下に位置する下かごの部分への食器のセット作業性が丈高のノズルガード枠によって阻害されることを回避できる。
【０００９】
また、本発明において、上部ガード枠は、上かごのセンターノズル側の端縁中央部からセンターノズル側に突出する、センターノズルが挿通されるリング部と、リング部から下方にのびる柱部とを有し、柱部の下端に当接部が設けられ、柱部は、上かごのセンターノズル側の端縁の長手方向両端とセンターノズルとを結ぶ上かご側の扇形範囲以外の部分に設けられることが望ましい。これによれば、上かごに向けてセンターノズルから噴射される洗浄水が上部ガード枠の柱部に当たることがなく、上かごに載置する食器の洗浄性を良好に維持できる。
【００１０】
更に、上部ガード枠の柱部は、上記扇形範囲以外の部分に周方向の間隔を存して複数設けられることが望ましい。これによれば、センターノズルから上かごとは反対側に噴射される洗浄水が柱部の間隔部分を通して下かご上の食器に当たるようになる。この場合、複数の柱部の下端同士を連結するように当接部を設ければ、各柱部の反りを防止することができ有利である。
【００１１】
ところで、上かごに荷重がかからない状態で、当接部が下部ガード枠の上端に当接すると、当接部を支点にして上かごがぐらつきやすくなる。そのため、上かごに荷重がかからない状態では、当接部が下部ガード枠の上端から浮いた状態に存し、上かごに所定値以上の荷重がかかったときに、当接部が下部ガード枠の上端に当接するように構成することが望ましい。これによれば、当接部を支点にして上かごがぐらつくことを防止でき、上かごが安定する。
【図面の簡単な説明】
【００１２】
【図１】本発明の実施形態の食器洗浄機の切断側面図。
【図２】実施形態の食器洗浄機の洗浄槽の斜め上方から見た斜視図。
【図３】実施形態の食器洗浄機の洗浄槽の要部の平面図。
【図４】実施形態の食器洗浄機の上かごの斜視図。
【発明を実施するための形態】
【００１３】
図１に示す本発明の実施形態の食器洗浄機は、システムキッチンに組み込んで設置されるビルトイン式のものであり、前面が開放されたハウジング１内に前方に引出し自在に収納される洗浄槽２を備えている。洗浄槽２内には、食器類を支持する後述する食器かごが収納されると共に、食器かごに向けて洗浄水を噴射する洗浄ノズル３が設けられている。尚、洗浄槽２の前面には、ハウジング１の前面を閉塞する前蓋２１が取付けられている。また、ハウジング１内の上部には、洗浄槽２の開放された上面を閉塞するシール蓋１１が設けられている。
【００１４】
洗浄槽２の底部には、残菜フィルタ２２を介して洗浄槽２内に連通する洗浄水の溜り部２３が設けられている。洗浄槽２の底部下側には、溜り部２３に連通する洗浄ポンプ４が設置されている。そして、洗浄ポンプ４を正転させたとき、洗浄槽２内の洗浄水が溜り部２３と洗浄ポンプ４とを介して洗浄ノズル３に供給され、洗浄ポンプ４を逆転させたとき、洗浄水が洗浄槽２から排水されるようにしている。
【００１５】
洗浄ノズル３は、洗浄槽２の下部で水平方向にのび、長手方向中央部で鉛直軸線回りに旋回自在に支持される下ノズル３１と、下ノズル３１の長手方向中央部に立設された、洗浄槽２の中央部で上方にのびるセンターノズル３２とを有している。下ノズル３１は、これに形成したノズル孔３１１から洗浄水を噴射し、この噴射反力により旋回する。センターノズル３２は、下ノズル３１に一体の下半部３２ａと、下半部３２ａに上下動自在に内挿した上半部３２ｂとで構成され、上下方向に伸縮自在である。洗浄ポンプ４から洗浄水が供給されると、上半部３２ｂが洗浄水の水圧に押されて上動し、センターノズル３２が上方に伸張する。そして、下半部３２ａの上端部に形成したノズル孔３２１と上半部３２ｂに形成したノズル孔３２２とから洗浄水が噴射される。
【００１６】
また、食器かごとして、洗浄槽２の下部に、下ノズル３１の上方に位置させて配置された、大皿、小皿、中鉢、椀等の比較的大型の食器Ｗ１を支持する下かご５と、洗浄槽２の上部であって、センターノズル３２に対し所定方向たる後方に隣接した部分に配置された上かご６とが設けられている。更に、下かご５に載置する食器Ｗ１がセンターノズル３２に干渉することを防止できるように、センターノズル３２を囲うノズルガード枠７が設けられている。
【００１７】
図２乃至図４も参照して、上かご６は、合成樹脂製であって、センターノズル３２に近い前側とセンターノズル３２から離れた後側との２列の食器支持部６１，６２を備えている。各食器支持部６１，６２は、コップや湯飲みに代表される有底筒状の食器Ｗ２を、開口端を下にしてセンターノズル３２から離れる方向たる後方に傾斜した姿勢で、各食器支持部６１，６２の長手方向たる左右方向に複数個並べて支持可能である。また、上かご６の左右の各側部の後端には、洗浄槽２の左右の各内壁面の後端上部に設けられた下方に窪む受部２４に係合する第１の爪部６３が設けられている。更に、上かご６の左右の各側部には、前側の食器支持部６１より前方にのびるアーム部６４が設けられ、このアーム部６４の前端部に、洗浄槽２の左右の各内壁面の前寄り部分に設けた上下方向に長手の突条２５の上端に当接する第２の爪部６５が設けられている。そして、上かご６を第１の爪部６３を支点にして、前上がりに跳ね上げることができるようにしている。
【００１８】
ノズルガード枠７は、図１に仮想線で示す収縮状態のセンターノズル３２より若干高さが低い下部ガード枠７１と上部ガード枠７２との上下２部分に分割されて、下部ガード枠７１が下かご６に固定されると共に、上部ガード枠７２が上かご６に固定されている。そして、上部ガード枠７２の下端に、下部ガード枠７１の上端に当接する当接部７３を設けている。これによれば、上かご６を上部ガード枠７２を介して下部ガード枠７１により支持して、上かご６の下方への撓みを阻止できる。更に、上かご６を上方に跳ね上げると、下かご５上に残るノズルガード枠７の部分は、下部ガード枠７１のみになって高さが低くなる。そのため、上かご６の下に位置する下かご５の部分への食器のセット作業性が丈高のノズルガード枠７によって阻害されることを回避できる。
【００１９】
また、本実施形態において、上部ガード枠７２は、上かご６のセンターノズル３２側の端縁中央部、即ち、前側の食器支持部６１の前縁中央部からセンターノズル３２側に突出するリング部７４と、リング部７４から下方にのびる柱部７５とを有し、柱部７５の下端に、下部ガード枠７１の上端に当接する当接部７３が設けられている。センターノズル３２を伸張させる際は、センターノズル３２（上半部３２ｂ）がリング部７４に挿通され、センターノズル３２の伸縮動作が妨げられることはない。また、柱部７５は、上かご６のセンターノズル３２側の端縁の長手方向両端とセンターノズル３２とを結ぶ上かご６側の扇形範囲Ｓ以外の部分に設けられている。これによれば、上かご６に向けてセンターノズル３２のノズル孔３２１，３２２から噴射される洗浄水が上部ガード枠７２の柱部７５に当たることがなく、上かご６に載置する食器Ｗ２の洗浄性を良好に維持できる。
【００２０】
更に、本実施形態では、上部ガード枠７２の柱部７５を上記扇形範囲Ｓ以外の部分に周方向の間隔を存して複数(例えば、３個)設けている。そのため、センターノズル３２から上かご６とは反対側に噴射される洗浄水が柱部７５の間隔部分を通して下かご５上の食器Ｗ１に当たるようになる。尚、複数の柱部７５の下端に、個々独立した当接部７３を設けることも可能であるが、本実施形態では、複数の柱部７５の下端同士を連結するように当接部７３を設けている。これにより、各柱部７５の反りを防止することができる。
【００２１】
ところで、上かご６に荷重がかからない状態で、当接部７３が下部ガード枠７１の上端に当接すると、以下の不具合を生ずる。即ち、第２の爪部６５が突条２５の上端に当接すると同時に当接部７３が下部ガード枠７１の上端に当接するように加工することは実際上困難である。そのため、第２の爪部６５が突条２５の上端に当接する前に当接部７３が下部ガード枠７１の上端に当接することがあり、この場合、当接部７３を支点にして上かご６がぐらつく。
【００２２】
そこで、本実施形態では、上かご６に荷重がかからない状態では、当接部７３が下部ガード枠７１の上端から浮いた状態に存し、上かご６に所定値以上の荷重がかかったときに、当接部７３が下部ガード枠７１の上端に当接するように構成している。ここで、上かご６に荷重がかかるのは、第２の爪部６５が突条２５の上端に当接した状態で上かご６に食器Ｗ２が載置されたときである。従って、上記の如く構成すれば、第２の爪部６５が突条２５の上端に当接する前に当接部７３が下部ガード枠７１の上端に当接することはなく、当接部７３を支点にして上かご６がぐらつくことを防止できる。
【００２３】
以上、本発明の実施形態について図面を参照して説明したが、本発明はこれに限定されない。例えば、上記実施形態では、上かご６がセンターノズル３２に対し後方に隣接した部分に配置されているが、上かごをセンターノズル３２に対し前方や、横方向に隣接する部分に配置するものにも同様に本発明を適用できる。
【符号の説明】
【００２４】
２…洗浄槽、３…洗浄ノズル、３２…センターノズル、５…下かご、６…上かご、７…ノズルガード枠、７１…下部ガード枠、７２…上部ガード枠、７３…当接部、７４…リング部、７５…柱部。
【図１】
2019098052.tif 000003
【図２】
2019098052.tif 000004
【図３】
2019098052.tif 000005
【図４】
2019098052.tif 000006